(57)【要約】葉書（２）は、写真印画紙（１００）を受け入れ保持するよう構成された内部を一緒に画定する表面及び裏面を有する平面体を含む。窓板（６０）を表面と裏面の間に配置し、写真を環境から保護することができる。裏面は、挨拶文領域、住所領域、切手領域、及び挨拶文領域（３８）から伸長可能であり、挨拶文領域を遮ることなく葉書をその辺で起立可能とするよう操作可能なスタンドを有する。表面は取外し部（３７）を有し、使用者が取外し部を取り外すまで、写真を視界から遮る。取外し部は前方本体部（３４）に破断可能な連結により連結されており、取り外した際に、広告、クーポン、及び／又は一葉の葉書を形成することができる。香水サンプル保持装置を葉書の任意の部分に連結することができる。
2008542054.tif 000002
【特許請求の範囲】
【請求項１】
略平面の後方本体部であって、表面、裏面、少なくとも２つの縁部、及び前記裏面から伸長可能であり、前記後方本体部を前記縁部のいずれかで起立可能とするスタンドを有する後方本体部と、
前面、背面、少なくとも２つの縁部、及び取外し部を有する略平面の前方本体部とを備え、
前記後方本体部及び前記前方本体部は互いに連結され、第３の平面体を内部に受け入れ保持するためのポケットをそれらの間に画定し、前記第３の平面体は前記後方本体部及び前方本体部の少なくとも一方よりも小さく、
前記前方本体部は、前記取外し部が少なくとも部分的に前記前方本体部から取り外された際に第３の平面体を見るための窓を画定することを特徴とする葉書。
【請求項２】
前記スタンドは、前記裏面に形成された脆弱線により前記裏面に画定された２つのフラップを有し、前記脆弱線のうちの２本は、前記フラップの少なくとも１つを前記後方本体部の面から折り出し、前記裏側本体部が前記縁部の１つで起立した際に前記裏側本体部が置かれるそれぞれの伸長部を形成するための折り線を形成する、請求項１に記載の葉書。
【請求項３】
前記２つのフラップは三角形フラップであり、前記三角形フラップはそれぞれ折り曲げられて、少なくとも後方本体部を前記縁部の１つで起立するために、前記伸長部のそれぞれ１つを形成する、請求項２に記載の葉書。
【請求項４】
前記前方本体部と後方本体部の間に配置されており、前記前方本体部と後方本体部の間に配置された第３の平面体を環境から保護する、少なくとも部分的に透明な、略平面の窓体をさらに備える、請求項１に記載の葉書。
【請求項５】
前記窓体を前記前方本体部の前記裏面に連結して、前記窓に保護囲いを形成する、請求項１に記載の葉書。
【請求項６】
前記裏面は、宛先を配置するための第１の部分と、メッセージを記入するための第２の部分を有する、請求項１に記載の葉書。
【請求項７】
前記フラップは前記第１の部分と同じ広さである、請求項２に記載の葉書。
【請求項８】
前記フラップは共通の脆弱線を有する、請求項２に記載の葉書。
【請求項９】
前記取外し部は、前記前方本体部の残部から完全に分離した部分であり、前記前方本体部内に位置し、前記窓板に取外し可能に連結される、請求項４に記載の葉書。
【請求項１０】
前記取り外し部は破断可能な連結により前記前方本体部に連結される、請求項１０に記載の葉書。
【請求項１１】
前記取外し部は、前記前方本体部の前記取外し部に取外し可能に連結する破断片を有する、請求項１０に記載の葉書。
【請求項１２】
前記破断片は８個の破断片である、請求項１１に記載の葉書。
【請求項１３】
前記取外し部は、取り外した際に、広告となる、請求項１に記載の葉書。
【請求項１４】
前記取外し部は、取り外した際に、クーポンとなる、請求項１に記載の葉書。
【請求項１５】
前記取外し部は、取り外した際に、一葉の葉書となる、請求項１に記載の葉書。
【請求項１６】
前記後方本体部、前記前方本体部及び前記取外し部のうちの少なくとも１つに連結された香水サンプル保持装置を更に備える、請求項１に記載の葉書。
【請求項１７】
前記香水サンプル保持装置は、取り外された際に香水サンプルを周囲に露出する取外し片を有する、請求項１６に記載の葉書。
【請求項１８】
略平面な後方本体部と、取外し部を有する略平面な前方本体部を備え、前記前方本体部が前記後方本体部と連結されて、第３の平面体を受け入れて保持するポケットをそれらの間に画定し、第３の平面体は後方本体部と前方本体部の少なくとも一方よりも小さく、前記前方本体部が、前記取外し部を少なくとも部分的に前記前方本体部から取り除いた際に、第３の平面体が見える窓を画定することを特徴とする葉書。
【請求項１９】
略平面な後方本体部と、
取外し部を有する略平面な前方本体部であって、前記前方本体部が前記後方本体部と連結されて、第３の平面体を受け入れて保持するポケットをそれらの間に画定し、第３の平面体は後方本体部と前方本体部の少なくとも一方よりも小さく、前記前方本体部が、前記取外し部を少なくとも部分的に前記前方本体部から取り除いた際に、第３の平面体が見える窓を画定する前方本体部と、
前方本体部と後方本体部の間に配置されており、前方本体部と後方本体部の間に配置された第３の平面体を環境から保護する、少なくとも部分的に透明な、略平面な窓体を備えることを特徴とする葉書。
【請求項２０】
前記前方本体部が裏面を有し、前記窓体が前記裏面に連結されて前記窓に保護囲いを形成する、請求項１９に記載の葉書。
【発明の詳細な説明】
【技術分野】
【０００１】
この発明は、カード又は硬質紙の略平坦なシートから形成された葉書であって、一方の側面にある統合型スタンドと、内部に写真を入れるためのポケットと、他方の側面にあり除去されるまでは写真を隠すための取り外し可能な面を備える写真枠とを有する葉書に関する。
【背景技術】
【０００２】
典型的な葉書は、表面と裏面を有する。表面には、例えば葉書が送られた場所に関連した写真がある。裏面は、送り手によりかかれた挨拶文のための場所、切手を貼るための場所、及び意図する受取人の住所のための場所を含む。典型的な葉書は長方形であり、２本の平行な長辺と２本の平行な短辺を有する。受け取られて読まれると、この種のカードには他の目的はなくなる。カードは単に廃棄されることが多い。あるいは、ピンを用いてカードを告知板に固定する場合もある。
【０００３】
従来技術とは異なる葉書は、シンプソン・ジョーンズらの特許文献１（以下「シンプソン」という）に具体化されている。シンプソンの筆頭発明者は、この発明の発明者である。シンプソンの葉書は次のように記されている。
【０００４】
シンプソンの葉書は、写真が貼り付けられた、又は写真を貼り付けるように構成された表面を有する平面体を有する。シンプソンの葉書は、平面体の裏面から伸長可能であり、裏面側で平面体を起立に操作可能なスタンドを有する。このカードは、写真印画紙の形態で写真を適用することにより独自化可能に構成される。写真が取り付けられると、カードはスタンドを用いて飾ることができ、告知板等の他の面にカードを固定する必要がない。葉書は、任意の多角形状とすることができ、したがって、対応する複数の辺を有する。
【０００５】
平面体の裏面は、葉書の受取人の住所を表示する住所部を含む。注目すべきは、スタンドは住所部から延びる。このため、スタンドを延ばしていても、読者は、カードの裏面で、住所部を形成していない裏面の残余の領域に書かれた挨拶文を読むことができる。
【０００６】
スタンドは、裏面に形成された脆弱線により裏面に画定されたフラップを有する。脆弱線の一つは、平面体の平面からフラップを折り出すための折り線を形成し、そのように折られた際には、平面体を裏面側で起立させた場合に葉書が置かれる伸長部を形成する。折り線を形成しない脆弱線は、裏面のミシン目により形成される。このような構成により、フラップを裏面からこれらの２本のミシン目線に沿って取り外される。フラップは略三角形である。したがって、２つの三角形フラップを用い、それぞれの三角形フラップは折り曲げ可能であり、平面体の長辺又は短辺のそれぞれの一つでカードを起立させるためのそれぞれの伸長部を形成する。２つの三角形フラップは、共に、２つのフラップの共通辺を形成する弱い対角線を有する略長方形を裏面に画定する。この略長方形は、裏面の住所部に対応する。したがって、形成する必要のある脆弱線の本数は低減される。
【０００７】
スタンドを形成するために、平面体は実質的に同一の広さの層を有し、スタンドの１つ又は複数のフラップは後方の層に画定され、他方の層は表面を形成する。
【０００８】
図１は、シンプソンの葉書２の裏面を表す。裏面は住所部４、切手を貼る領域６、挨拶文を書く領域８を有する。住所部４には、脆弱線１４、１８、１６、２０及び共通の弱い対角線２２により、２つの長方形フラップ１０、１２が形成される。
【０００９】
脆弱線１８、２０、２２は葉書の材料をミシン目加工することにより形成され、三角形フラップ１０及び／又は１２が、裏面２から取り外され、それぞれ折り線１４及び１６に沿って図の面及び裏面２の面から折り曲げられることを可能にする。シンプソンの葉書２は２層を有し、フラップ１０、１２は最後尾の層内にのみ形成される。
【００１０】
図２及び３は、それぞれ上述したようにして折り曲げられる三角形フラップ１０及び１２を示す。折り曲げ位置において、三角形フラップ１０、１２はカード２の平面体をそれの側で起立可能とする伸長位置を形成する。フラップを形成する材料（典型的には厚紙）の厚さは、葉書２の重さでフラップが確実に曲がることのないに選択される。２つの伸長部１０、１２は、葉書２の平面体がそれぞれ長辺及び短辺で起立できるようにする。
【００１１】
シンプソンの葉書２の面（図１〜３では隠れている）は、写真印画紙を受け入れるよう構成され、又は、当業で既知の葉書のように適当な写真が印刷される。
【００１２】
前記の２層構造を採用することにより、葉書の表面に印刷された画像を邪魔することなく、フラップ１０、１２を葉書２の裏から折り出すことができる。同時に２層構造により、写真印画紙と葉書２の間の接着を阻害することなく、フラップ１０、１２を折り出すことができる。
【００１３】
写真を葉書２に結合することに関して、シンプソンの葉書２は、写真を表面に印刷し、又は写真を表面に貼り付け、又は表面に位置する保護性で自己接着性の透明プラスチック層の下に写真を配置してプラスチック層の下に写真をしっかりと保持する。
【００１４】
葉書の表面が、保護性で自己接着性の透明プラスチック層の下に写真印画紙を適用するよう構成されている場合には、写真を入れることでカードを独自化することができる。また、プラスチック層の下の層を自己接着性にして、写真印画紙がプラスチック層の下でしっかりと保持されるようにできる。プラスチック層の上に用いられる接着剤は、写真印画紙の表面仕上げと化学的に結合して、写真印画紙がプラスチック層を通して明瞭に見えるようにする。しかし、この葉書構造は、カードを持った人なら誰でも写真を見ることができるという欠点を有する。換言すれば、シンプソン・ジョーンズらの特許文献１に記載された葉書ではプライバシーを提供する手段がない。
【００１５】
【特許文献１】米国特許第５，８５５，３９６号明細書
【発明の開示】
【発明が解決しようとする課題】
【００１６】
したがって、最終使用者が望むまでは写真を隠しておくことのできる手段を提供することが有益である。また、取り除いた際に隠蔽装置を廃棄することを防止又は遅延する有益な特徴を有する隠蔽装置を提供することも有益である。
【課題を解決するための手段】
【００１７】
この発明は、写真の適用される表面にプライバシー機能を付与し、受取人が表面を開けることを望むまで写真が見えないようにすることにより、従来技術の葉書を改良する。
【００１８】
前記及び他の課題を考慮し、この発明によれば、略平面な後方本体部であって、表面、裏面、少なくとも２つの縁部、及び裏面から伸長可能で後方本体部をいずれかの縁部で起立可能にするスタンドを有する後方本体部と、前面、背面、少なくとも２つの縁部、及び取外し部を有する略平面な前方本体部とを含む葉書であり、後方本体部及び前方本体部が互いに連結されて第３の平面体を受け入れて保持するポケットをそれらの間に画定し、第３の平面体は後方本体部と前方本体部の少なくとも一方よりも小さく、前方本体部が、取外し部を少なくとも部分的に前方本体部から取り除いた際に、第３の平面体が見える窓を画定する葉書が提供される。
【００１９】
また、この発明の課題を考慮して、略平面な後方本体部と、取外し部を有する略平面な前方本体部を含む葉書であり、前方本体部が後方本体部と連結されて、第３の平面体を受け入れて保持するポケットをそれらの間に画定し、第３の平面体は後方本体部と前方本体部の少なくとも一方よりも小さく、前方本体部が、取外し部を少なくとも部分的に前方本体部から取り除いた際に、第３の平面体が見える窓を画定する葉書も提供される。
【００２０】
また、この発明の課題を考慮して、略平面な後方本体部と、取外し部を有する略平面な前方本体部を含む葉書であり、前方本体部が後方本体部と連結されて、第３の平面体を受け入れて保持するポケットをそれらの間に画定し、第３の平面体は後方本体部と前方本体部の少なくとも一方よりも小さく、前方本体部が、取外し部を少なくとも部分的に前方本体部から取り除いた際に、第３の平面体が見える窓を画定し、少なくとも部分的に透明な、略平面な窓体が前方本体部と後方本体部の間に配置されて前方本体部と後方本体部の間に配置された第３の平面体を環境から保護する葉書も提供される。
【００２１】
この発明の他の特徴によれば、スタンドは、裏面に形成された脆弱線により裏面に画定された２つのフラップを有し、脆弱線のうちの２本は後方本体部の面から少なくとも１つのフラップを折り出す折り線を形成し、後方本体部を縁部の１つで起立させた場合に後方本体部が置かれるそれぞれの伸長部を形成する。
【００２２】
この発明のさらなる特徴によれば、２つのフラップは２つの三角形フラップであり、それぞれの三角形フラップは折り曲げられ、縁部の１つで少なくとも後方本体部を起立させるそれぞれ１つの伸長部を形成する。
【００２３】
この発明の追加された特徴によれば、前方本体部と後方本体部の間に配置され、前方本体部と後方本体部の間に配置された第３の平面体を環境から保護する、少なくとも部分的に透明な、略平面の窓体が設けられる。
【００２４】
この発明の付加的な特徴によれば、窓体は前方本体部の背面に連結され、窓に保護囲いを形成する。
【００２５】
この発明のさらに他の特徴によれば、裏面は宛先を配置するための第１の部分と、メッセージを記入するための第２の部分を有する。
【００２６】
この発明のさらに他の特徴によれば、フラップは第１の部分と同一の広さである。
【００２７】
この発明のさらに追加された特徴によれば、フラップは共通の脆弱線を有する。
【００２８】
この発明のさらに付加的な特徴によれば、取外し部は、前方本体部の残余の部分から完全に分離した部分であり、前方本体部に位置しており、窓板に取外し可能に連結される。
【００２９】
葉書の例示的な代替構成において、取外し部の接着性裏地の代わりに、取外し部が接着剤を有しておらず、単に乾燥して状態で持ち上げて取り外すことができる。このような場合、引き裂き部が代わりにその場所を保持することができる。
【００３０】
更なる例示的代替構成において、任意の種類の媒体又は装置を葉書に取外し可能に又は固定的に取り付けることができる。例えば、香水サンプル保持装置を取外し部又は葉書の任意の他の部分に配置することができる。
【００３１】
この発明の他の特徴によれば、取外し部は破断可能な連結により前方本体部に連結されている。
【００３２】
この発明の更なる特徴によれば、取外し部は、取外し部を前方本体部に取外し可能に連結する破断片を有する。
【００３３】
この発明の追加された特徴によれば、破断片は８個の破断片である。
【００３４】
この発明の付加的な特徴によれば、取外し部は、取り外した際に、広告となる。
【００３５】
この発明の更に他の特徴によれば、取外し部は、取り外した際に、クーポンとなる。
【００３６】
この発明の更に追加された特徴によれば、後方本体部、前方本体部及び取外し部のうちの少なくとも１つに連結された香水サンプル保持装置が設けられる。
【００３７】
この発明の更に付加的な特徴によれば、香水サンプル保持装置は、取り外された際に香水サンプルを周囲に露出する取外し片を有する。
【００３８】
この発明の付随的特徴によれば、前方本体部は裏面を有し、窓体は裏面に連結されて窓に保護囲いを形成する。
【００３９】
この発明特有と考えられる他の特徴は、添付の特許請求の範囲に記載される。
【００４０】
この明細書において、この発明は、一体の写真枠を有する葉書及び葉書の製造方法に具現化したものとして図示及び説明されているが、この発明の精神を離れることなく、請求の範囲及びその均等の範囲内で、種々の修正及び構造上の変更を行うことが可能であることから、提示した詳細に限定されることを意図するものではない。
【００４１】
しかし、この発明を実施する構成及び方法は、その付加的な課題及び利点と共に、添付の図面を参照しつつ具体的実施形態に関する以下の説明を読むと、最も良く理解されよう。
【発明を実施するための最良の形態】
【００４２】
図面を詳細に参照し、まず、特に図４を参照し、この発明に従う葉書３０の例示的実施形態を分解形式で示す。
【００４３】
葉書３０は、後方本体部３２及び前方本体部３４を有する。後方本体部３２は、住所部３４、切手の貼り付け領域３６、及び挨拶文を書く領域３８を有する。
【００４４】
住所部３４には、２つの三角形フラップ４０、４２が、脆弱線４４、４６、４８、５０及び共通の脆弱対角線５２により形成される。
【００４５】
脆弱線４８、５０、５２は、後方本体部３２の材料をミシン目加工することで形成され、三角形フラップ４０及び４２の一方又は両方を後方本体部３２から分離し、それぞれ折り線４４及び４６に沿って後方本体部３２の面から折り出す。折り曲げた位置で、三角形フラップ４０、４２は、図２及び３に示すように、葉書３０の平面体をそれの辺上で起立させる伸長位置を形成する。スタンドのない代替的実施形態において、住所部３４はこれらの脆弱線を含まない。
【００４６】
図４は、後方本体部３２、前方本体部３４、随意的な透明窓板６０、及び前方本体部３４の前方側３５から表示され、後方本体部３２と前方本体部３４の間に保持される写真印画紙１００の間の関係を示す。
【００４７】
前方本体部３４は、脆弱線により区分され、又は前方本体部３４の外面から完全に分離された取外し部３７を含む。いずれの場合にも、使用者は取外し部３７を引き剥がし、これによって取外し部３７を前方本体部３４から分離して、写真印画紙１００が見えるように前方本体部３４に開口を作ることができる。あるいは、取外し部３７の三辺を脆弱線とし、取外し部３７の一辺を前方本体部３４と一体にすることができ、これによって折り線を形成する。このような構成において、取外し部３７は、選択的に開閉のできる取り外しフラップ又はドアとなる。
【００４８】
前記の特徴により、この発明に従う葉書３０は、前方本体部３４の取外し部３７が使用者により取り外され、又は開かれるまで、写真印画紙１００を視界から遮ることを可能とすることにより、従来技術の前方側を改良する。
【００４９】
透明窓板６０が後方本体部３２と前方本体部３４の間に含まれていない場合には、取外し部３７が除去された際に、使用者は印画紙１００を物理的に触ることができる。指紋が印画紙１００の表示面を損ない得る。したがって、窓板６０を後方本体部３２と前方本体部３４の間に配置することが望ましい。窓板６０は、前方本体部３４から取り外される前は取外し部３７を固定するという第２の目的を果たす。例えば、取外し部３７の後方側が、これを窓板６０の前方の表示側に粘着することを可能とする、非永久的接着を有することができる。次に、使用者が取外し部３７を取り外すことを決めると、力を１つの縁部又は角部に加えて、取外し部３７を剥ぎ取り、きれいで傷のない窓を残す。これによって、写真１００を見ることはできるが、触ることはできない。
【００５０】
窓板６０は、取外し部３７と少なくとも同じ大きさの面積を有することができる。図４に示す好適な実施形態において、窓板６０は、前方本体部３４及び前方本体部３４と同じ面積を有する。しかし、板６０の寸法は、これらの間で任意とすることができる。
【００５１】
取外し部３７は、図４において、取り外しを容易にするために、その後方側（前方側３５の反対側）に非永久的接着剤を有し、前方本体部３４の後方側の残部は、永久的又は非永久的接着剤を有する。このような構成において、後方本体部３２は、前方本体部３４のいずれの部分にも留める必要がなく、窓板６０に固定する必要のみがある。（このことは、窓板６０の面積が前方本体部３４よりも小さい場合には、必ずしも当てはまらない。）
【００５２】
取外し部３７の接着性裏地の代わりに、取外し部３７を乾式持ち上げ式で前方本体部に連結することができる。上述したように、「乾式持ち上げ取外し部」とは、葉書３０の他のいずれかの部分に連結するための接着剤を有していない部分である。例えば、乾式持ち上げ部３７は、例えば一辺当たり１又は２個の小さな接触点を有しており、この接触点は、乾式持ち上げ部３７を前方本体部３４の枠に固定的に連結する。このような接触点は、僅かな接触のみを残して前方本体部３４を切断して乾式持ち上げ部３７を形成することにより、作ることができる。乾式持ち上げ部３７を前方本体部３７から取り外すために、２つの部分３４、３７を接触点で一緒に保持する力よりも強い、小さな持ち上げ力が必要とされるのみである。
【００５３】
取外し部３７は接着剤を有していないので、取り外したカード３７は、分離した装置として働くことができる。例えば、持参した人にある種の利益又は割引を与えるクーポンとすることができ、広告とすることができ、広告用材料を含むことができ、又は、使用者により写真の送り手に送ることのできる別の葉書とすることができる。後者の場合、予め支払われた葉書の送料を含むことができる。
【００５４】
取外し部３７が接着剤を有していない構成において、任意の種類の媒体又は装置を取外し部３７の内側に取外し可能又は固定的に取り付けることができる。例えば、香水サンプル保持装置を取外し部３７の内側面上に配置し、使用者が香水を試すことを望むまで、取外し片で香水を覆うことができる。無論、このような香水サンプル保持器は、十分な空間がある場合には、葉書の任意の場所に配置することができ、取外し部２７の内面の場所は限定的ではない。
【００５５】
取外し部３７がその後方側に非永久的接着剤を有している構成において、葉書３０は、取外し部３７と同じ寸法の、完全に別体の図示しないカードを伴うことができる。したがって、取外し部３７が葉書３０から取り外されると、比較的永久的な連結で、別体のカードを留めることができる。別体のカード／取外し部３７の組み合わせの例示的一実施形態は、取外し部３７に留められる面の反対側の面を有し、この面は、郵便切手領域及び住所領域等の葉書表示を含む（図４の後方本体部３２を参照）。これにより、取外し部３７と別体のカードの組み合わせは、例えば額入りの写真を受け取ったことに対する礼状として、第三者に郵送される葉書を作ることができる。
【００５６】
後方本体部３２は、種々の方法で窓板６０に連結される。好適な実施形態は、一辺を除いた全ての辺が永久的に連結された後方本体部３２を有する。例えば、長方形の印画紙１００及び長方形の本体部３２、３４に対して、後方本体部３２を三辺にて窓板６０に永久的に連結する。この構成は、印画紙１００を後方本体部３２と窓板６０の間に挿入するための単一の溝又は開口を残す。第４の辺は接着剤を有しておらず、したがって、印画紙１００を取り出し、使用者の所望により他のものに置き換えることができる。あるいは、前方本体部３４は、取外し部３７を取り外した際に、印画紙１００を取り囲む枠を形成するので、使用者が第４の辺により永久的な連結を望む場合がある。このような場合には、後方本体部３２又は窓板６０（又は窓板６０の面積が前方本体部３４よりも小さい場合には、前方本体部３４）は、取外し可能な、非永久的に連結された、切取り片７０により覆われた永久接着剤帯を有することができる。
【００５７】
この実施形態の好適な構成は、窓板６０に永久的に連結された前方本体部３４と、窓板６０に非永久的に連結された取外し部３７を有する。この実施形態において、前方本体部３４及び窓板６０は、同一の形状及び面積を有し、特にこれらは長方形である。後方本体部３２の好適な形状は、図５に示してあり、３つの接着領域３３又は単一のＵ字状接着領域３３を有する。したがって、窓板６０を位置決めして後方本体部３２に押し付けると、２つの部分３２、６０は互いに永久的に連結され、開放辺３９（図５では後方本体部の右側の辺）で印画紙１００を受け入れる入り口を有するポケット６２を形成する。開放辺３９に接着剤がない場合には、使用者の判断により、印画紙１００をポケット６２に挿入し、ポケット６２から取り出すことができる。
【００５８】
しかし、開放辺３９の好適な構成は、切取り片７０を取り外してその下にある接着剤を露出することにより、ポケット６２への入り口を永久的に閉じさせる。このような状態で、印画紙１００は葉書３０の中に固定され、環境から保護される。さらに、印画紙１００は、取外し部３７が取り外されるまで、誰にも見ることができない。
【００５９】
開放辺３９のこのような永久的連結を形成するために、接着剤層をその上に配置し、その後に剥離片７０で覆う。剥離片７０は、接着剤と結合するものの、永久に接合することのない材料から作られる。したがって、使用者の判断により、片７０を開口片３９から取り外すことができる。好ましくは、片７０は、開放辺３９で接着剤の外側境界を越えて延び、特に、開放辺３９の長手方向において、後方本体部３２の縁部を越えて延びる。このような構成では、片７０を使用者が容易につかみ、いつでも引き剥がすことができる。このように取り外されると、開放辺３９と窓板６０の間のその後の接触により、印画紙１００を保持するポケット６２を閉じる、永久的な連結が生じる。
【００６０】
この発明の葉書３０を作る方法は、住所部３４、切手部３６及び挨拶文部３８を裏面に有する後方本体部３２を設けることを含む。脆弱線４８、５０、５２を住所部３４に形成し、少なくとも１つのフラップ４０、４２を形成して、後方本体部３２からフラップ４０、４２を伸長した後に、後方本体部３２をその辺で起立させる。
【００６１】
後方本体部３２の表面（裏面の反対側）の少なくとも１つの縁部には、したがって留め具が配置されている。好適な実施形態において、留め具は糊等の物質であり、表面の縁部はかかる物質で被覆されており、ポケットが印画紙１００を受け入れるように形成されている。後方本体部３２が長方形の場合には、４辺のうちの３辺がこの物質を含む。
【００６２】
窓板６０は後方本体部３２の表面に対して配置されており、留め具が永久的に窓板６０をこれらに連結する。したがって、ポケット６２を、印画紙１００を受け入れるために形成する。窓板１００が望ましくない場合には、前方本体部３４を窓板６０の代わりとし、したがって、後方本体部３２に永久的に連結して、それらの間にポケット６２を形成する。
【００６３】
窓板６０が存在する場合には、前方本体部３４及び取外し部３７を、少なくとも非永久的に連結された取外し部３７で、窓板６０に連結する。したがって、取外し部３７を取り外した際に、前方本体部３７は、ポケット６２の内側に位置する印画紙１００の周りに枠を形成する。
【００６４】
また、留め具（例えば接着剤又は化学物質）を後方本体部３２の開放辺３９に配置する。この留め具は、前方本体部３４又は窓板６０を後方本体部３２に連結する前は、剥離片７０で覆われており、剥離片７０を取り外すことで留め具の活性化を制御する。
【００６５】
ポケット６２が形成された後で、印画紙１００がポケット６２内に配置された後に、使用者は、剥離片７０を取外し、開放辺３９にある留め具を前方本体部３４及び／又は窓板６０の少なくとも一方に留めることのみにより、ポケット６２内の印画紙１００を封止することができる。
【００６６】
前方本体部３４の前方側３５から印画紙１００を表示するために、印画紙１００を後方本体部３２と前方本体部３４の間（窓板６０が存在しない場合）、又は後方本体部３２と窓板６０の間に配置し、取外し部３７を取り外す。
【００６７】
前記の少なくとも２層構造を採用することにより、ポケット６２内に配置した印画紙１００を遮ることなく、フラップ４０、４２を葉書３０の後ろから折り出すことができる。同様に、２層構造は、後方本体部３２と前方本体部３４及び窓板６０の少なくとも一方との間の留め連結を邪魔することなく、フラップ４０、４２を後方本体部３２から折り出すことを可能とする。
【図面の簡単な説明】
【００６８】
【図１】従来技術に従う葉書の裏面の平面図である。
【図２】図１の葉書の斜視図であり、スタンドの第１の部分を開いた位置とし、葉書をその長辺で置いている。
【図３】図１の葉書の斜視図であり、スタンドの第２の部分を開いた位置とし、葉書をその短辺で置いている。
【図４】この発明に従う葉書の例示的実施態様の分解図である。
【図５】図４の葉書の後方本体部を前方側から見た平面図である。
【図１】
2008542054.tif 000003
【図２】
2008542054.tif 000004
【図３】
2008542054.tif 000005
【図４】
2008542054.tif 000006
【図５】
2008542054.tif 000007